(57)【要約】【課題】  大型化することなく光学ファインダー装置で被写体像を観察できる、撮影中に焦点検出可能なカメラを提供すること。【解決手段】  一眼レフ電子カメラ本体１０には、光学ファインダ装置２５が搭載され、メインミラー１１で上方へ反射した被写体光により被写体像を観察する。サブミラー１２とシャッタ１４との間には、ペリクル膜で構成されたダイクロイックミラー１３が収納され、静止画撮影モードまたは動画撮影モードが選択され、撮影が開始される前は、サブミラー１２で可視光Ｌ３を焦点検出装置の測距素子１９へ導く。可視光Ｌ３の光路に赤外光をカットする赤外カットフィルタ１６ａを挿入することにより、可視光による測距が行われる。撮影中は、メインミラー１１、サブミラー１２がミラーアップし、赤外ダイクロイックミラー１３は、可視光を透過するとともに、撮影前にサブミラー１２があった位置に移動し、焦点検出装置の測距素子１９へ赤外光を導き、赤外光によりリアルタイムに焦点調節動作を行う。【選択図】  図１
2006301149.tif 000002
【特許請求の範囲】
【請求項１】
被写体光による像を観察する光学ファインダー装置と、
前記被写体光による像を撮像する撮像装置と、
前記被写体光による像の合焦状態を検出する焦点検出装置と、
前記光学ファインダー装置による観察時に前記被写体光を反射して前記光学ファインダー装置へ導く状態と、撮影時に前記被写体光を前記撮像装置へ向かわせる状態とに切り換える光路切換手段と、
前記観察時は、前記光路切換手段と干渉しないように前記撮像装置の前面に位置する第１の姿勢をとって前記被写体光を透過させて前記撮像装置へ入射することを許容し、前記撮影時は、前記撮像装置から離間する位置へ移動した第２の姿勢をとって前記被写体光を透過させて前記撮像装置へ入射することを許容するとともに、前記被写体光に含まれる所定波長域の光を反射させて前記焦点検出装置へ導く波長選択手段とを備えることを特徴とする一眼レフ電子カメラ。
【請求項２】
被写体光による像を観察する光学ファインダー装置と、
前記被写体光による像を撮像する撮像装置と、
前記被写体光による像の合焦状態を検出する焦点検出装置と、
前記光学ファインダー装置による観察時に前記被写体光を反射して前記光学ファインダー装置へ導く状態と、撮影時に前記被写体光を前記撮像装置へ向かわせる状態とに切り換える光路切換手段と、
前記観察時は、前記被写体光路切換手段と干渉しないように前記撮像装置の前面から退避した第１の姿勢をとって前記被写体光が前記撮像装置へ入射することを許容し、前記撮影時は、前記撮像装置へ入射する被写体光の光路に挿入される第２の姿勢をとって前記被写体光を透過させて前記撮像装置へ入射することを許容するとともに、前記被写体光に含まれる所定波長域の光を反射させて前記焦点検出装置へ導く波長選択手段とを備えることを特徴とする一眼レフ電子カメラ。
【請求項３】
請求項１または２に記載の一眼レフ電子カメラにおいて、
前記波長選択手段は、可視光に対して透過特性を有し、赤外光に対して反射特性を有することを特徴とする一眼レフ電子カメラ。
【発明の詳細な説明】
【技術分野】
【０００１】
本発明は、焦点検出装置と光学ファインダ装置を備え、撮影中も焦点検出を行うことができる一眼レフ電子カメラに関する。
【背景技術】
【０００２】
撮影光学系を通過した被写体光の一部を焦点検出装置へ導いて焦点検出状態を検出する特許文献１の一眼レフ電子カメラが知られている。この電子カメラでは、撮影光学系と撮像素子との間に撮影光軸に４５度の角度で赤外ダイクロイックミラーが固設され、撮影光学系を通過する撮影光を、赤外ダイクロイックミラーにより赤外の波長領域の光と可視域の光に分離し、赤外光を用いて焦点検出を行い、可視光を用いて撮像素子が被写体像を撮像する。このカメラでは、撮像素子で撮像した被写体の映像を電子ビューファインダで観察する。
【０００３】
【特許文献１】特開２００３−３２２７９１号公報（第２頁、図１）
【発明の開示】
【発明が解決しようとする課題】
【０００４】
上記特許文献１のカメラにおいて、電子ビューファインダに代えて光学ファインダー装置を設けようとすると、赤外ダイクロイックミラーの被写体側に反射光学系を設置して光学ファインダー装置へ被写体光を導く必要があり、カメラが大型化してしまう。
【課題を解決するための手段】
【０００５】
（１）請求項１の発明による一眼レフ電子カメラは、被写体光による像を観察する光学ファインダー装置と、被写体光による像を撮像する撮像装置と、被写体光による像の合焦状態を検出する焦点検出装置と、光学ファインダー装置による観察時に被写体光を反射して光学ファインダー装置へ導く状態と、撮影時に被写体光を撮像装置へ向かわせる状態とに切り換える光路切換手段と、観察時は、光路切換手段と干渉しないように撮像装置の前面に位置する第１の姿勢をとって被写体光を透過させて撮像装置へ入射することを許容し、撮影時は、撮像装置から離間する位置へ移動した第２の姿勢をとって被写体光を透過させて撮像装置へ入射することを許容するとともに、被写体光に含まれる所定波長域の光を反射させて焦点検出装置へ導く波長選択手段とを備えることを特徴とする。
（２）請求項２の発明による一眼レフ電子カメラは、被写体光による像を観察する光学ファインダー装置と、被写体光による像を撮像する撮像装置と、被写体光による像の合焦状態を検出する焦点検出装置と、光学ファインダー装置による観察時に被写体光を反射して光学ファインダー装置へ導く状態と、撮影時に被写体光を撮像装置へ向かわせる状態とに切り換える光路切換手段と、観察時は、被写体光路切換手段と干渉しないように撮像装置の前面から退避した第１の姿勢をとって被写体光が撮像装置へ入射することを許容し、撮影時は、撮像装置へ入射する被写体光の光路に挿入される第２の姿勢をとって被写体光を透過させて撮像装置へ入射することを許容するとともに、被写体光に含まれる所定波長域の光を反射させて焦点検出装置へ導く波長選択手段とを備えることを特徴とする。
（３）請求項３の発明は、請求項１または２に記載の一眼レフ電子カメラにおいて、波長選択手段は、可視光に対して透過特性を有し、赤外光に対して反射特性を有することを特徴とする。
【発明の効果】
【０００６】
本発明による一眼レフ電子カメラによれば、撮影中に焦点検出を行い、しかもカメラを大型化することなく光学ファインダー装置へ被写体光を導くことができる。
【発明を実施するための最良の形態】
【０００７】
以下、本発明の実施の形態によるカメラについて、図面を参照しながら説明する。
〈第１の実施の形態〉
図１は、本発明の第１の実施の形態による一眼レフ電子カメラの全体を模式的に示す構成図である。一眼レフ電子カメラは、カメラ本体１０と、カメラ本体１０に着脱される光学ファインダー装置２５と、カメラ本体１０に着脱されるレンズ鏡筒３０とを備えている。そして、この一眼レフ電子カメラは、不図示の操作部材により、静止画撮影モードまたは動画撮影モードを選択して撮影できるように構成されており、静止画撮影モード設定時は、レリーズボタン半押し操作中（光学ファインダー装置２５による観察時）に可視光で焦点検出を行う。動画撮影モード設定時は、動画撮影中に赤外光で焦点検出を行い、リアルタイムで焦点調節しながら動画撮影を行う。
【０００８】
カメラ本体１０は、筺体内に、メインミラー（クイックリターンミラー）１１、サブミラー１２、赤外ダイクロイックミラー１３、シャッター１４、撮像装置１５、フィルタ装置１６、ミラー１７、二次結像レンズ１８、測距素子１９およびミラー駆動モータ２０を収納している。ミラー駆動モータ２０は、赤外ダイクロイックミラー１３とフィルタ装置１６を駆動するモータである。また、カメラ本体１０は、制御回路２１、メモリ２１および表示回路２２を収納している。ファインダー装置２５は、焦点板２６、ペンタプリズム２７および接眼レンズ２８を備え、レンズ鏡筒３０は、撮影レンズ３１、レンズ駆動モータ３２および駆動回路３３を備えている。
【０００９】
図１の示す状態では、撮影レンズ３１を透過した被写体からの光Ｌ１は、半透過特性を有するメインミラー１１へ入射し、メインミラー１１で反射された光Ｌ２は焦点板２６に結像される。焦点板２６に結像された像は、ペンタプリズム２７によって方向を変えられ、接眼レンズ２８を透過して撮影者により観察される。
【００１０】
一方、メインミラー１１を透過した光Ｌ３はサブミラー１２で反射された後、フィルタ装置１６を通過して、ミラー１７、二次結像レンズ１８および測距素子１９などで構成される焦点検出装置に入射する。この焦点検出装置は、周知の位相差検出方式あるいは瞳分割型再結像方式と呼ばれるものであり、撮影レンズ３１の射出瞳面上の異なる部分を通過した一対の光束により形成される一対の像の相対的な位置関係のズレに基づいて、撮影レンズ３１の焦点位置を検出する。すなわち、焦点検出装置への入射光束は、ミラー１７で反射され、二次結像レンズ１８による二次像が測距素子１９上に結像される。後述するように、静止画撮影モードにおける静止画撮影時（観察中）には、フィルタ装置１６で赤外光をカットし、可視光により焦点検出を行い、動画撮影中は、赤外ダイクロイックミラー１３で選択された波長域の赤外光により焦点検出を行う。
【００１１】
サブミラー１２の後方、すなわち、シャッター１４あるいは撮像装置１５の前方には、赤外ダイクロイックミラー１３が配置されている。赤外ダイクロイックミラー１３は、可視域の光を透過させるとともに赤外の波長領域の光を反射する赤外反射特性をもつ波長分離反射光学素子である。第１の実施の形態では、サブミラー１２とシャッタ１４との間の狭い空間に波長分離機能を有する光学素子を挿入する必要があり、ミラー本体１３ａは多層膜コーティングしたペリクル膜やＧＢＯ(Giant Birefringent Optics)素子等の薄いものを使用する。
【００１２】
そして、第１の実施の形態では、静止画撮影モード及び動画撮影モードにおける撮影前、赤外ダイクロイックミラー１３と撮影光軸とのなす角度は９０度に設定され、赤外ダイクロイックミラー１３へ入射する可視光は透過して撮像装置１５に入射する。一方、動画撮影中の赤外ダイクロイックミラー１３と撮影光軸とのなす角度は、観察時にサブミラー１２が撮影光軸となす角度（図１に示される角度）に設定され、赤外ダイクロイックミラー１３へ入射する可視光はそのまま透過して撮像装置１５に入射する一方、赤外光が分離反射されて焦点検出装置へ入射する。
【００１３】
すなわち、赤外ダイクロイックミラー１３は、被写体像を光学ファインダ装置２５で観察する時は、メインミラー１１及びサブミラー１２と干渉しないように撮像装置１５の前面に位置する第１の姿勢をとって、被写体光を透過させて撮像装置１５へ入射することを許容し、撮影時は、撮像装置１５から離間する位置へ移動した第２の姿勢をとって、被写体光を透過させて撮像装置１５へ入射することを許容するとともに、被写体光に含まれる所定波長域の光を反射させて焦点検出装置へ導く波長選択機能を有するものである。
【００１４】
ここで、赤外ダイクロイックミラー１３およびフィルタ装置１６の構造および駆動機構を図２の模式的斜視図を参照して説明する。
図２（ａ）、（ｂ）に示されるように、赤外ダイクロイックミラー１３は、赤外反射特性を有するミラー本体１３ａと、このミラー本体１３ａを支持する支持体１３ｂとを備えている。ミラー本体１３ａは支持体１３ｂに挿入されて支持され、交換可能である。支持体１３ｂの下辺にはその長手方向に駆動軸１３ｃが延在し、駆動軸１３ｃの一端にはウオームギア１３ｄが、他端には目盛板１３ｅが設けられている。フィルタ装置１６は、赤外カットフィルタ１６ａと、この赤外カットフィルタ１６ａを一体に支持する枠部材１６ｂとを備えており、枠部材１６ｂの他端には送りナット１６ｃが設けられている。
【００１５】
これら赤外ダイクロイックミラー１３とフィルタ装置１６は次のようにしてミラー駆動モータ２０で駆動される。駆動モータ２０の駆動力は連結ギア２０ａに伝達されて駆動軸２０ｂをＲ方向に回転駆動し、駆動軸２０ｂの一端に形成したウォーム２０ｃがウオームギア１３ｄに回転駆動力を伝達して赤外ダイクロイックミラー１３がＢ方向に傾動される。赤外ダイクロイックミラー１３の回転角度は、目盛板１３ｅに対向配置された角度センサ４１により検出され、赤外ダイクロイックミラー１３は所定の角度で位置決めされる。
【００１６】
また、駆動軸２０ｂの他端に形成されている送りねじが送りナット１６ｃに噛合し、駆動軸２０ｂが回転するとフィルタ装置１６が駆動軸２０ｂに沿ってＣ方向に移動する。フィルタ装置１６の位置は、位置センサ４２により検出され、挿脱の切り換え動作が確認される。
【００１７】
なお、位置制限部材などに赤外ダイクロイックミラー１３やフィルタ装置１６を当接させて位置決めする構成をとることもでき、この場合は目盛板１３ｄおよび角度センサ４１や位置センサ４２は不要となる。
【００１８】
次に、赤外ダイクロイックミラー１３の波長選択性について図３を参照して説明する。図３は、赤外ダイクロイックミラー１３の分光反射率曲線と撮像装置１５のカラーフィルタの分光透過率曲線を示すグラフであり、横軸は波長、縦軸は反射率または透過率を表す。撮像に用いる可視光の波長域は約４００〜６５０ｎｍであるが、一般的な撮像素子ではＲＧＢ三色のカラーフィルタによって色情報を取得しており、Ｂフィルタの透過率曲線ＴＢ、Ｇフィルタの透過率曲線ＴＧ、Ｒフィルタの透過率曲線ＴＲを合成したものが撮像に用いる波長域となる。
【００１９】
赤外ダイクロイックミラー１３の反射率曲線ＲＩは透過率曲線ＴＲの長波長側と重なっており、赤外ダイクロイックミラー１３は、ほぼ６５０ｎｍよりも長波長の赤外光を反射する。赤外ダイクロイックミラー１３のカットオフ波長は、撮像装置１５の特性に応じて調整するが、通常６００〜６５０ｎｍの範囲で設定する。これにより、赤外ダイクロイックミラー１３を撮像装置１５の前面に配置することにより、赤外光が反射除外されて可視光だけが透過して撮像装置１５へ導かれる。
【００２０】
図１に戻って制御系について簡単に説明する。制御回路２１には、メモリ２２、表示回路２３、撮像装置１５、ミラー駆動モータ２０、測距素子１９およびレンズ駆動回路３３がそれぞれ接続されている。制御回路２１は、撮像装置１５からの画像信号を処理する画像処理回路と、ミラー駆動モータ２０へ赤外ダイクロイックミラー１３およびフィルタ装置１６を駆動するための制御信号を送出するミラー駆動回路とを含んでいる。画像処理回路で処理された画像は、表示回路２３により液晶モニター２４に表示される。
【００２１】
また、制御回路２１は、測距素子１９からの検出信号を入力してオートフォーカス動作を行う演算回路を含んでいる。このオートフォーカス動作（ＡＦ動作）は、演算回路により、焦点位置のズレ量（デフォーカス量）を演算し、そのデフォーカス量から撮影レンズ３１の光軸方向の駆動量を算出し、その駆動量データをレンズ駆動回路３３へ伝達し、レンズ駆動回路３３によりレンズ駆動モータ３２を動かすという一連の動作である。さらに、制御回路２１は、メインミラー１１、サブミラー１２のクイックリターン動作やミラーアップ動作を行わせる駆動モータへ制御信号を送出する駆動回路をも含んでいる。
【００２２】
このように構成した第１の実施の形態のカメラによる撮影動作を図４（ａ）、（ｂ）を参照して説明する。
−静止画撮影−
図４（ａ）は、静止画撮影モードまたは動画撮影モードが選択され、撮影が開始される前のＡＦ動作を説明する図である。この場合、赤外カットフィルタ１６ａは焦点検出光路に挿入されている。メインミラー１１を透過した光Ｌ３は、サブミラー１２で反射され、フィルタ装置１６の赤外カットフィルタ１６ａを通過した後に、二次結像レンズ１８による二次像が測距素子１９上に再結像される。そして、測距素子１９から出力される焦点検出信号に基づいて制御回路２１で焦点調節演算を行い、駆動回路３３によりレンズ駆動モータ３２を介して撮影レンズ３１を駆動する。
【００２３】
この実施の形態では、メインミラー１１、サブミラー１２が共に波長選択性をもたないので、静止画撮影モードでは、赤外カットフィルタ１６ａにより焦点検出光から赤外光を除去した可視光で焦点検出を行い、波長による焦点位置の違いなどから測距誤差を生じることを防止する。
【００２４】
静止画撮影モードを選択した状態でレリーズボタンを全押し操作すると、メインミラー１１、サブミラー１２が図４（ａ）の状態から光路外の焦点板２６近傍に跳ね上げられ、シャッター１４が開放される。光Ｌ３は、赤外ダイクロイックミラー１３を透過し、撮像装置１５の撮像面に結像する。赤外ダイクロイックミラー１３は、赤外反射特性を有するので撮像に不要な赤外光を遮断し、可視光はそのまま透過させるので、可視光による画像が得られる。露光終了後は、シャッター１４が閉鎖され、メインミラー１１、サブミラー１２が図４（ａ）に示す位置へ復帰するので、被写体光Ｌ１は分岐してファインダー装置２５と測距素子１９へ導かれる。
【００２５】
−動画撮影−
図４（ｂ）は動画撮影モードを選択して動画撮影を開始したときのＡＦ動作を説明する図である。動画撮影開始指令が出力されると、動画撮影終了指令が出力されるまでメインミラー１１、サブミラー１２は矢印Ａに示すように被写体光Ｌ１の光路から退避する。赤外ダイクロイックミラー１３は、矢印Ｂに示すように、図４（ａ）に示されるサブミラー１２と同一位置で同一傾斜角度になるように傾動される。同時に、フィルタ装置１６を駆動して赤外カットフィルタ１６ａを光路から退避させる。これにより、可視光のみが撮像装置１５の撮像面に結像するとともに、赤外光のみが測距素子１９へ到達する。つまり、動画撮影では、可視光による撮像と赤外光による測距が同時に行われる。
【００２６】
上述したように動画撮影時には、可視光で撮像しながら赤外光で測距を行う。したがって、赤外光で行う焦点検出結果で撮影レンズ３１を合焦位置へ移動させても、撮像装置１５上でわずかに像ズレが発生する。そこで、この像ズレを補正する必要がある。その補正量は撮影レンズに固有の値であるため、各々のレンズ鏡筒のＲＯＭに補正に必要な情報、例えば赤外光に対する収差情報を予め記憶させておき、赤外光に基づいて演算されるデフォーカス量を像ズレ補正量で補正することにより、赤外光で焦点検出を行っても最適な合焦状態で撮影することができる。
【００２７】
第１の実施の形態のカメラでは次のような作用効果を得ることができる。
（１）静止画撮影モードまたは動画撮影モードが選択され、撮影が開始される前にあっては、ミラーダウンしているサブミラー１２とシャッタ１４との狭い空間に薄板状の赤外ダイクロイックミラー１３を配置し、動画撮影中はその赤外ダイクロイックミラー１３をミラーアップしたサブミラー１２の空き空間に移動して、その角度姿勢をミラーアップする前のサブミラー１２の角度姿勢と同一とした。その結果、動画撮影時にリアルタイムで焦点検出を行うカメラに光学ファインダを設けても、カメラの大型化を防止することができる。
【００２８】
なお、赤外ダイクロイックミラー１３が第２の姿勢をとる位置は、メインミラー１１とサブミラー１２がミラーアップすることによって撮影光路中に生じる空き空間である。ここで、上記空き空間とは、メインミラー１１及びサブミラー１２に付随する機構、配線などが配設されていた空間を含む概念である。
【００２９】
（２）図２（ｂ）に示されるように、赤外ダイクロイックミラー１３では、ミラー本体１３ａを支持体１３ｂに着脱できる構造とした。その結果、赤外ダイクロイックミラー１３が損傷を受けたときでも容易に交換できる。また、ミラー本体１３ａを支持体１３ｂから外しておけば、すなわち非装着状態とすれば、多くの赤外成分の光を撮像装置１５の撮像面に結像させることができ、例えば、水素のＨα線を撮影する必要のある天体写真や、深赤色フィルタを用いた赤外線写真などにも対応できる。
【００３０】
（３）動画撮影時は赤外ダイクロイックミラー１３を傾斜させ、透過光を撮像光として使用するので、その厚みが厚くなると収差の影響を受けるおそれがある。そこで、収差を抑えるためには、赤外ダイクロイックミラー１３としてペリクル膜などを使用することにより、撮像光が赤外ダイクロイックミラー１３に斜め入射しても収差の影響を実用上問題のない範囲に低減することができる。
【００３１】
第１の実施の形態のカメラを次のように変形して構成することもできる。
（１）図２（ａ）に示される構成では、１個のミラー駆動モータ２０で赤外ダイクロイックミラー１３およびフィルタ装置１６の両方を駆動するが、２個の駆動モータを設けて赤外ダイクロイックミラー１３、フィルタ装置１６をそれぞれ独立に駆動してもよい。赤外ダイクロイックミラー１３、フィルタ装置１６に専用の駆動モータを設けることにより、赤外ダイクロイックミラー１３の回転動作やフィルタ装置１６の切り換え動作を迅速に行うことができる。
【００３２】
（２）ミラー駆動モータ２０は共通で、駆動軸２０ｂを赤外ダイクロイックミラー１３側とフィルタ装置１６側とに分離し、これら２本の駆動軸を差動ギアまたはスリップ機構で連結する構成としてもよい。この場合、赤外ダイクロイックミラー１３およびフィルタ装置１６の一方が制限部材で停止しても他方は移動できるので、２個の駆動モータを設ける場合と同様の駆動が可能である。
（３）静止画撮影モードにおける撮影中に、赤外ダイクロイックミラー１３を図４（ｂ）に示すような姿勢としてもよい。この場合、静止画モードにおける撮影前（観察時）には可視光で焦点調節を行い、静止画撮影中にも赤外光で焦点検出を行うことができる。
【００３３】
〈第２の実施の形態〉
図５は、第２実施形態のカメラの光学系の概略を示す光路図であり、図５（ａ）は、静止画撮影モードまたは動画撮影モードが選択され、撮影が開始される前のＡＦ動作を説明する図である。図５（ｂ）は、動画撮影時のＡＦ動作を説明する図である。この第２の実施の形態の一眼レフ電子カメラでは、図５（ｂ）に示す動画撮影中は、図１に示した第１の実施の形態によるカメラと同様に、薄板状の波長分離光学素子としての赤外ダイクロイックミラー１３をサブミラー１２とシャッタ１４との間の狭い空間に配置する。一方、静止画撮影モードまたは動画撮影モードが選択され、撮影が開始される前は、図５（ａ）に示すように、赤外ダイクロイックミラー１３をミラーボックス床面に平行な姿勢にして焦点検出装置の直前に配置する。そして、焦点検出光路に配置したフィルタ装置１６を省略する。その他の構成は第１の実施の形態と同様であり、以下では相違点を主に説明する。
【００３４】
図５（ａ）に示されるＡＦ動作時では、メインミラー１１を透過した光Ｌ３は、サブミラー１２で反射され、赤外ダイクロイックミラー１３へ入射する。光Ｌ３は、赤外ダイクロイックミラー１３を透過して測距素子１９へ向かう可視光と、赤外ダイクロイックミラー１３で反射する赤外光Ｌ４とに分離する。すなわち、赤外ダイクロイックミラー１３は赤外カットフィルタとして機能し、測距素子１９へは可視光のみが到達する。
【００３５】
静止画撮影時（露光時）には、メインミラー１１、サブミラー１２が図５（ａ）の状態から光路外の焦点板２６近傍に跳ね上げられ、シャッター１４が開放される。可視光と赤外光の両方を含む光Ｌ３は、撮像装置１５の撮像面に結像する。撮像に赤外光が不要である場合は、撮像装置１５と一体になった赤外カットフィルタを使用し、赤外成分を反射する。露光終了後は、第１の実施の形態と同様の動作が行われる。静止画撮影モード選択時は、可視光のみによる測距が行われる。
【００３６】
動画撮影時には、図５（ｂ）に示されるように、メインミラー１１、サブミラー１２を動作Ａにより被写体光Ｌ１の光路から退避させる。同時に、ミラーボックス床面に配置されていた赤外ダイクロイックミラー１３をＤ方向に回転移動させてサブミラー１２が存在していた位置に同一傾斜角度で配置する。これにより、可視光のみが撮像装置１５の撮像面に結像するとともに、赤外光のみが測距素子１９へ到達する。つまり、動画撮影では、可視光による撮像と赤外光による測距が同時に行われる。
【００３７】
第２の実施の形態では、赤外ダイクロイックミラー１３が撮影光路から退避した（撮影装置１５の前面から退避した）図５（ａ）の状態が第１の実施の形態における第２の姿勢に相当する。
【００３８】
第２の実施の形態では、第１の実施の形態と同様の作用効果を奏するとともに、フィルタ装置１６が不要となるので、より簡素な構成となる。また、図５（ａ）に示されるように、赤外ダイクロイックミラー１３をミラーボックス床面に移動させることができるので、メインミラー１１、サブミラー１２をミラーアップ状態とし、シャッター１４を開放状態とすることにより、カメラ前方から撮像装置１５の清掃作業ができる。
【００３９】
静止画撮影モードにおける撮影中に、赤外ダイクロイックミラー１３を図５（ｂ）に示すような姿勢としてもよい。この場合、静止画撮影前（観察時）には可視光で焦点調節を行い、静止画撮影中にも赤外光で焦点検出を行うことができる。
【００４０】
次に、第１および第２の実施の形態の変形例を説明する。
第１および第２の実施の形態では、焦点検出装置を１つ設けているが、サブミラー１２と赤外ダイクロイックミラー１３とでそれぞれ専用の焦点検出装置を設けるようにしても良い。使用波長域に応じていずれか一方の焦点検出装置を使い分ければ、波長に起因する像ズレ（合焦位置のズレ）を補正する必要がなくなる。
【００４１】
本発明は、その特徴を損なわない限り、以上説明した実施の形態に何ら限定されない。例えば、赤外ダイクロイックミラー１３の代わりに、図６に示すような分光反射率特性をもつ薄板状の狭帯域反射鏡を用いてもよい。図６に示される３つの分光反射率曲線ＲＶは、可視領域であって波長域が数十ｎｍと狭い。３つの分光反射率曲線ＲＶは、撮像装置１５のＲＧＢ三色カラーフィルタの分光透過率曲線ＴＢ，ＴＧ，ＴＲの各ピークを外した波長に設定される。これにより、撮像と同一の波長領域で測距を行うことができ、波長に起因する合焦位置のズレを補正する必要がなくなる。
【図面の簡単な説明】
【００４２】
【図１】本発明の第１の実施の形態に係るカメラの全体を模式的に示す構成図である。
【図２】第１の実施の形態に係るカメラの赤外ダイクロイックミラー１３およびフィルタ装置１６の構造および駆動機構を模式的に示す斜視図である。
【図３】赤外ダイクロイックミラー１３の分光反射率曲線と撮像装置１５のカラーフィルタの分光透過率曲線を示すグラフである。
【図４】第１の実施の形態に係るカメラの光学系の概略を示す光路図であり、（ａ）は、静止画撮影モードまたは動画撮影モードが選択され、撮影が開始される前のＡＦ動作を説明する図、（ｂ）は動画撮影時の状態を説明する図である。
【図５】第２の実施の形態に係るカメラの光学系の概略を示す光路図であり、（ａ）は、静止画撮影モードまたは動画撮影モードが選択され、撮影が開始される前のＡＦ動作を説明する図、（ｂ）は動画撮影時の状態を説明する図である。
【図６】本発明の実施の形態の変形例を説明する図であり、赤外ダイクロイックミラー１３の代わりに用いられる狭帯域反射鏡の分光反射率特性を示すグラフである。
【符号の説明】
【００４３】
１０：カメラ本体              １１：メインミラー
１２：サブミラー              １３：赤外ダイクロイックミラー
１５：撮像装置                １６：フィルタ装置
１６ａ：赤外カットフィルタ    １９：測距素子
２０：ミラー駆動モータ        ２１：制御回路
２３：表示回路                ２５：光学ファインダー装置
３０：レンズ鏡筒              ３１：撮影レンズ
Ｌ１：被写体光
【図１】
2006301149.tif 000003
【図２】
2006301149.tif 000004
【図３】
2006301149.tif 000005
【図４】
2006301149.tif 000006
【図５】
2006301149.tif 000007
【図６】
2006301149.tif 000008